(57)【要約】【課題】  格段と正確にデータの再生単位を分割し得るようにする。【解決手段】  この記録再生装置１は、音声データ再生処理が実行されることにより音声データが再生されている状態で、編集ボタン１３の半押操作が行われるとこれに応じて音声データ再生処理速度を遅らせ、この半押操作された編集ボタン１３をさらに押し込む押込操作が行われるとこの押込操作が行われた部分で再生されている音声データの再生単位を分割するようにした。【選択図】          図１
2006301507.tif 000002
【特許請求の範囲】
【請求項１】
データを再生する再生手段と、
上記再生手段により上記データが再生されている状態で再生遅延操作が行われると、上記データの再生速度を遅くする再生速度遅延手段と、
上記再生速度遅延手段により上記再生速度を遅くした状態で再生単位分割操作が行われると、上記再生単位分割操作が行われた際に再生していた部分で上記データの再生単位を分割する再生単位分割手段と
を具えることを特徴とする再生単位分割装置。
【請求項２】
上記再生遅延操作と上記再生単位分割操作とが可能な操作手段
を具えることを特徴とする請求項１に記載の再生単位分割装置。
【請求項３】
上記操作手段を半押しする上記再生遅延操作が行われると上記再生速度遅延手段により上記再生速度を遅らせ、当該半押しされた操作手段がさらに押し込まれる上記再生単位分割操作が行われると上記再生単位分割手段により上記再生単位を分割する
ことを特徴とする請求項２に記載の再生単位分割装置。
【請求項４】
上記再生単位分割手段により上記データの再生単位が分割された後、当該分割された分割部分が確認できるように上記データを再生する確認再生手段
を具えることを特徴とする請求項１に記載の再生単位分割装置。
【請求項５】
上記確認再生手段は、上記再生遅延操作に応じて遅くした上記データの再生速度よりも遅い再生速度で、上記分割部分が確認できるように上記データを再生する
ことを特徴とする請求項４に記載の再生単位分割装置。
【請求項６】
外部から供給される上記データを記録する記録手段
を具えることを特徴とする請求項１に記載の再生単位分割装置。
【請求項７】
データを再生する再生ステップと、
上記再生ステップにより上記データが再生されている状態で再生遅延操作が行われると、上記データの再生速度を遅くする再生速度遅延ステップと、
上記再生速度遅延ステップにより上記再生速度を遅くした状態で再生単位分割操作が行われると、上記再生単位分割操作が行われた際に再生していた部分で上記データの再生単位を分割する再生単位分割ステップと
を具えることを特徴とする再生単位分割装置の再生単位分割方法。
【発明の詳細な説明】
【技術分野】
【０００１】
本発明は再生単位分割装置及び再生単位分割方法に関し、例えば、会議における会話の音声を記録再生し得るようになされたＩＣ（Integrated Circuit）レコーダ等の記録再生装置に適用して好適なものである。
【背景技術】
【０００２】
従来この種の記録再生装置は、例えば、会議における会話の音声がマイクロホン等を介して入力されると、これを音声データとして内部の半導体メモリ等に記録するようになされている。そしてこの記録再生装置は、ユーザにより再生操作が行われると、内部の半導体メモリに記録した音声データに基づく音声を、スピーカ等を介して出力するようになされている。かくしてこのような記録再生装置によれば、会議中の会話を記録し又これを再生することができる（例えば特許文献１参照）。
【０００３】
ところでこの種の記録再生装置は、ただ単に再生操作された場合、会議中の会話が記録された音声データを最初から再生する。従ってこのように再生されるとユーザは、記録した会話の要点部分のみを聴けば良い場合であっても、会議の会話を最初から聴かなければならず、使い勝手が良いとは言い得ない問題が生じる。
【０００４】
この問題を回避するために従来の記録再生装置は、例えば、ユーザ操作に応じて分割マーク（例えばトラックマーク）を生成し、これにより音声データを複数の再生単位（例えばトラック）に分割し得るようになされている。そしてこの記録再生装置は、このように複数の再生単位に分割された音声データを、ユーザ操作により指定された再生単位から再生開始し得るようになされている。
【０００５】
ここで従来の記録再生装置において、かかる分割マークを生成する一手法を具体的に説明する。ユーザは、記録再生装置に再生操作を行うことによって、記録した音声データに基づく音声を聴きながら、会話の要点が話される直前部分を認識し、これを認識したタイミングで分割マークを生成する分割マーク生成操作を記録再生装置に対して行う。このときこの記録再生装置は、この音声データのうち分割マーク生成操作が行われた際に再生していた部分を認識し、当該認識した部分を指し示す分割マークを生成する。この結果この記録再生装置に記録されている音声データは、この分割マークが指し示す部分を境にして要点が話される前の再生単位と、要点がこれから話される再生単位とに分割される。かくしてユーザは、会話の要点が話される直前部分に分割マーク生成操作を予め行っておけば、要点がこれから話される部分から会話を再生することが可能となる。
【特許文献１】特開平１１−３０６０５７号公報
【発明の開示】
【発明が解決しようとする課題】
【０００６】
しかしながらこのような手法では、記録再生装置により再生される会話のスピードが速すぎる場合、ユーザはこのスピードの速い会話を聴きながら適切な部分で分割マーク生成操作を行うことが難しくなるので、その結果音声データの再生単位を正確に分割することが困難になる問題があった。
【０００７】
本発明は以上の点を考慮してなされたもので、格段と正確にデータの再生単位を分割し得る再生単位分割装置及び再生単位分割方法を提案しようとするものである。
【課題を解決するための手段】
【０００８】
かかる課題を解決するため本発明においては、データを再生する再生手段と、再生手段によりデータが再生されている状態で再生遅延操作が行われると、データの再生速度を遅くする再生速度遅延手段と、再生速度遅延手段により再生速度を遅くした状態で再生単位分割操作が行われると、再生単位分割操作が行われた際に再生していた部分でデータの再生単位を分割する再生単位分割手段とを設けるようにした。
【０００９】
このように、データが再生されている状態で再生遅延操作が行われるとデータの再生速度を遅らせ、再生単位分割操作が行われるとこの再生単位分割操作が行われた部分でデータの再生単位を分割するようにしたことにより、例えばユーザは、データの再生スピードが速すぎたとしても、再生遅延操作を行うことによって再生スピードを遅くしておくことにより、データの再生単位を分割する再生単位分割操作を正確に行うことが可能となる。
【発明の効果】
【００１０】
本発明によれば、データが再生されている状態で再生遅延操作が行われるとデータの再生速度を遅らせ、再生単位分割操作が行われるとこの再生単位分割操作が行われた部分でデータの再生単位を分割するようにしたことにより、例えばユーザは、データの再生スピードが速すぎたとしても、再生遅延操作を行うことによって再生スピードを遅くしておくことにより、データの再生単位を分割する再生単位分割操作を正確に行うことが可能となり、この結果格段と正確にデータの再生単位を分割することができる。
【発明を実施するための最良の形態】
【００１１】
以下図面について、本発明の一実施の形態を詳述する。
【００１２】
（１）第１の実施の形態
（１−１）記録再生装置の構成
図１及び図２において、１は全体として記録再生装置を示し、その筐体２に操作部３として設けられている録音ボタン４が押下操作されると、これに応じて記録再生装置１全体を統括的に制御する制御部５は、マイクロホン６により集音される音声を音声入力部７により音声データに変換し、当該変換した音声データをメモリ部８（例えばフラッシュメモリ等の半導体メモリ）に順次記録する。やがて、記録再生装置１の筐体２に操作部３として設けられている停止ボタン９がユーザにより押下操作されると、これに応じてこの記録再生装置１の制御部５は、マイクロホン６から音声入力部７を介して入力される音声データをメモリ部８に対して記録する音声データ記録処理を終了する。
【００１３】
このようにしてこの記録再生装置１は、会議の会話等を音声データとしてメモリ部８に記録する音声データ記録処理を実行することができる。
【００１４】
この後、記録再生装置１の筐体２に操作部３として設けられている再生ボタン１０が押下操作されると、これに応じてこの記録再生装置１の制御部５は、メモリ部８に記録した音声データを読み出し、当該読み出した音声データを音声出力部１１により音声信号に変換し、当該変換した音声信号に基づく音声をスピーカ１２から順次出力する。
【００１５】
このようにしてこの記録再生装置１は、メモリ部８に記録した音声データに基づく会議の会話等をスピーカ１２から出力する音声データ再生処理を実行することができる。
【００１６】
ここでこの記録再生装置１は、半押しする半押操作及びさらに押し込む押込操作が可能な編集ボタン１３がその筐体２に操作部３として設けられている。
【００１７】
この記録再生装置１の制御部５は、音声データ再生処理が実行されることによりスピーカ１２から音声が順次出力されている状態で、この編集ボタン１３を半押しする半押操作が行われると、これに応じて例えば図３に示すように、音声データ再生処理速度を通常再生時速度（ｖ＝Ａ）からこの通常再生時速度（ｖ＝Ａ）よりも遅い分割マーク生成時速度（ｖ＝Ｂ＜Ａ）に変更することにより、スピーカ１２から出力される会話の音声スピードを遅くする。
【００１８】
次いで、半押操作された編集ボタン１３をさらに押し込む押込操作が行われると、これに応じてこの記録再生装置１の制御部５は、音声データ再生処理している音声データのうち押込操作が行われた際に再生していた部分を認識し、当該認識した部分を指し示す分割マークを生成する共に、この分割マークが生成されたことをユーザに通知する通知音を音声出力部１１及びスピーカ１２を介して出力する。そしてこの記録再生装置１の制御部５は、編集ボタン１３の押込操作が行われた時刻ｔ２から所定時間α（例えば１秒間）が経過した時刻ｔ２＋αに、編集ボタン１３の半押操作に応じて分割マーク生成時速度（ｖ＝Ｂ）まで遅らせた音声データ再生処理速度を元の通常再生時速度（ｖ＝Ａ）に戻すことにより、スピーカ１２から出力される会話の音声スピードを当初のスピードに戻すようになされている。
【００１９】
これによりこの記録再生装置１のメモリ部８に記録されている音声データは、生成された分割マークが指し示す部分を境にして、前半の再生単位と後半の再生単位とに分割される。この結果この記録再生装置１は、分割された再生単位ごとにこの音声データを再生開始することができる。
【００２０】
因みにこの記録再生装置１は、図１に示すような例えば液晶ディスプレイからなる表示部１４を有している。つまりこの表示部１４は、図２に示すように液晶表示パネル１５と、この液晶表示パネル１５を照明するためのバックライト１６とを有する。記録再生装置１の制御部５は、メモリ部８に記録した複数の用件（複数の音声データ）のうち、何件目の用件を再生しているのかを示す用件番号をこの表示部１４に表示するようになされている。さらにこの記録再生装置１の制御部５は、そのとき再生している用件の再生時間もこの表示部１４に表示するようになされている。
【００２１】
またこの記録再生装置１は、図１に示すようにその筐体２にメニューボタン１７を有している。記録再生装置１の制御部５は、このメニューボタン１７が押下操作されると、音声データ再生処理の通常再生時速度（ｖ＝Ａ）と分割マーク生成時速度（ｖ＝Ｂ）とを設定するためのメニュー画面を表示部１４に表示する。そして、例えばユーザにより操作部３を介してこのメニュー画面中のメニューを選択する操作が行われると、この記録再生装置１の制御部５は、選択されたメニューに応じて通常再生時速度（ｖ＝Ａ）及び分割マーク生成時速度（ｖ＝Ｂ）をそれぞれ設定するようになされている。
【００２２】
またこの記録再生装置１は、図１に示すようにその筐体２に一時停止ボタン１８を有している。記録再生装置１の制御部５は、音声データ再生処理を実行している最中にこの一時停止ボタン１８が押下操作されると、この音声データ再生処理を一時停止するようになされている。
【００２３】
またこの記録再生装置１の音声入力部７は、図２に示すように、マイクロホン６からの音声信号を増幅する増幅器１９と、増幅器１９により増幅された音声信号の利得制御を行う自動利得制御回路（ＡＧＣ：Automatic Gain Controller）２０と、自動利得制御回路２０からの音声信号を音声データに変換するエンコーダ２１と、エンコーダ２１からの音声データを一時蓄積するバッファメモリ２２とを有する。
【００２４】
またこの記録再生装置１の音声出力部１１は、図２に示すように、メモリ部８等から供給された音声データを音声信号に変換するデコーダ２３と、デコーダ２３から供給された音声信号の高域成分を除去するフィルタ２４と、フィルタ２４からの音声信号を増幅した後これをスピーカ１２に供給する増幅器２５とを有する。
【００２５】
またこの記録再生装置１の制御部５は、図２に示すように、この記録再生装置１を制御するためのプログラム等が記憶されているＲＯＭ（Read Only Memory）２６と、このＲＯＭ２６に記憶されているプログラムに従って記録再生装置１全体を制御するＣＰＵ（Central Processing Unit）２７と、時刻情報を生成してこれをＣＰＵ２７に供給するタイマ２８と、ＣＰＵ２７の処理に供する各種データが一時記憶されるＲＡＭ（Random Access Memory）２９とを有する。
【００２６】
またこの記録再生装置１は、図２に示すように、パーソナルコンピュータと接続するためのコネクタ３０を有する。記録再生装置１の制御部５は、メモリ部８に記録した音声データを読み出し当該読み出した音声データを、コネクタ３０を介して接続されたパーソナルコンピュータに対して供給し得るようになされている。またこの記録再生装置１の制御部５は、コネクタ３０を介して接続されたパーソナルコンピュータから供給される音声データを、メモリ部８に対して記録し得るようにもなされている。
【００２７】
（１−２）再生遅延処理
次に図４に示すフローチャートを用いて、分割マーク生成時の再生遅延処理手順ＲＴ１を説明する。
【００２８】
記録再生装置１の制御部５はステップＳＰ１において、再生ボタン１０を押下する再生操作が行われると、これに応じてステップＳＰ２に移り、メモリ部８に記録されている音声データに基づく音声をスピーカ１２から出力する音声データ再生処理を実行開始する。
【００２９】
次いで記録再生装置１の制御部５はステップＳＰ３に移り、編集ボタン１３の半押操作が行われるのを待ち受ける。そしてこの記録再生装置１の制御部５は、編集ボタン１３の半押操作が行われると、これに応じてステップＳＰ４に移り、編集ボタン１３の半押操作が行われた時刻ｔ１をタイマ２８から取得し、当該取得した時刻ｔ１を開始点として経過時間を計時する計時処理を実行開始する。
【００３０】
またこのときこの記録再生装置１の制御部５はステップＳＰ５において、音声データ再生処理速度を通常再生時速度（ｖ＝Ａ）から分割マーク生成時速度（ｖ＝Ｂ）に遅らせることにより、スピーカ１２から出力される会話の音声スピードを遅くする。
【００３１】
続いてこの記録再生装置１の制御部５はステップＳＰ６に移り、半押操作された編集ボタン１３をさらに押し込む押込操作が行われたか否かを判断する。
【００３２】
このステップＳＰ６において否定結果が得られると、このことは、編集ボタン１３の押込操作が未だ行われていないことを意味しており、このとき記録再生装置１の制御部５はステップＳＰ７に移って、計時処理により計時している経過時間が所定時間（例えば３０秒）を超えたか否かを判断する。
【００３３】
このステップＳＰ７において肯定結果が得られると記録再生装置１の制御部５は、編集ボタン１３の半押操作に応じて音声データ再生処理速度を遅くしてからかなりの時間が経過していると判断し、この結果ステップＳＰ８に移って音声データ再生処理速度を元の通常再生時速度（ｖ＝Ａ）に戻した後上述のステップＳＰ３に戻るタイムアウト処理を実行するようになされている。
【００３４】
これに対してこのステップＳＰ７において否定結果が得られると記録再生装置１の制御部５は、編集ボタン１３の半押操作に応じて音声データ再生処理速度を遅くしてからあまり時間が経過していないと判断し、この結果ステップＳＰ６に戻って編集ボタン１３の押込操作を待ち受けるようになされている。
【００３５】
一方かかるステップＳＰ６において肯定結果が得られると、このことは、編集ボタン１３の押込操作が行われたことを意味しており、このとき記録再生装置１の制御部５はステップＳＰ９に移り、音声データ再生処理している音声データのうち押込操作が行われた際に再生していた部分を認識し、当該認識した部分を指し示す分割マークを生成すると共に、この分割マークが生成されたことをユーザに通知する通知音を音声出力部１１及びスピーカ１２を介して出力する。またこのとき記録再生装置１の制御部５はステップＳＰ１０において、この分割マークを生成した際の時刻（以下、これを分割マーク生成時刻とも呼ぶ）ｔ２をタイマ２８から取得する。
【００３６】
そして記録再生装置１の制御部５は、取得した分割マーク生成時刻ｔ２から所定時間α（例えば１秒）が経過した時刻ｔ２＋αにステップＳＰ１１に移って、音声データ再生処理速度を分割マーク生成時速度（ｖ＝Ｂ）から元の通常再生時速度（ｖ＝Ａ）に戻し、上述のステップＳＰ３に戻るようになされている。因みにこの記録再生装置１の制御部５は、停止ボタン９の押下操作に応じて音声データ再生処理を終了したとき、この再生遅延処理手順ＲＴ１も終了するようになされている。
【００３７】
（１−３）動作及び効果
以上の構成においてこの記録再生装置１の制御部５は、メモリ部８に記録した音声データに基づく音声をスピーカ１２から出力する音声データ再生処理を実行する。
【００３８】
そしてこの記録再生装置１の制御部５は、音声データ再生処理が実行されることによりスピーカ１２から音声が順次出力されている状態で、編集ボタン１３の半押操作が行われると、これに応じて音声データ再生処理速度を通常再生時速度（ｖ＝Ａ）から分割マーク生成時速度（ｖ＝Ｂ）に遅らせることにより、スピーカ１２から出力される音声の音声スピードを遅くする。
【００３９】
次いでこの記録再生装置１の制御部５は、音声データ再生処理速度が分割マーク生成時速度（ｖ＝Ｂ）まで遅くなった状態で、半押操作された編集ボタン１３をさらに押し込む押込操作が行われると、これに応じて音声データ再生処理している音声データのうち押込操作が行われた際に再生していた部分を認識し、当該認識した部分を指し示す分割マークを生成する。この結果この音声データは、当該生成された分割マークが指し示す部分を境にして前半の再生単位と後半の再生単位とに分割される。
【００４０】
これによりユーザは、スピーカ１２から出力される会話の音声スピードが速すぎたとしても、編集ボタン１３の半押操作を行うことによって、出力される会話の音声スピードを遅くしておくことができ、かくして会話の要点が話される直前のタイミングで編集ボタン１３の押込操作を正確に行うことが可能となる。
【００４１】
以上の構成によれば、音声データ再生処理が実行されることにより音声データが再生されている状態で、編集ボタン１３の半押操作が行われるとこれに応じて音声データ再生処理速度を遅らせ、この半押操作された編集ボタン１３をさらに押し込む押込操作が行われるとこの押込操作が行われた部分で音声データの再生単位を分割するようにしたことにより、例えばユーザは、スピーカ１２から出力される会話の音声スピードが速すぎたとしても、編集ボタン１３の半押操作を行うことによって、出力される会話の音声スピードを遅くしておくことができ、かくして要点が話される直前のタイミングで編集ボタン１３の押込操作を正確に行うことが可能となる。この結果、音声データを要点が話される前の再生単位と要点がこれから話される再生単位とに正確に分割することができる。
【００４２】
また本実施の形態の場合この記録再生装置１は、２種類の操作（半押操作及び押込操作）が可能な操作手段（編集ボタン１３）を有し、この操作手段に対して一の操作（半押操作）が行われたときに音声データ再生処理速度を遅らせ、この操作手段に対して他の操作（押込操作）が行われたときに分割マークを生成するようにした。これにより、音声データ再生処理速度を遅らせるためのボタンと分割マークを生成するためのボタンとが別々に設けられる場合と比べて、記録再生装置１の筐体２を小型化することができる。
【００４３】
また本実施の形態の場合この記録再生装置１は、編集ボタン１３の押込操作に応じて分割マークを生成した分割マーク生成時刻ｔ２から所定時間αが経過した時刻ｔ２＋αに、音声データ再生処理速度を分割マーク生成時速度（ｖ＝Ｂ）から元の通常再生時速度（ｖ＝Ａ）に戻すようにした。これにより、編集ボタン１３の押込操作が行われた瞬間に音声データ再生処理速度をいきなり元の通常再生時速度（ｖ＝Ａ）に戻す場合と比べて、この音声を聴いているユーザの違和感を和らげることができる。
【００４４】
（２）第２の実施の形態
（２−１）再生遅延処理
第２の実施の形態の場合、上述した第１の実施の形態と記録再生装置１の構成は同様である。従ってここでは、図４との対応部分に同一符号を付して示す図５のフローチャートを用いて、第２の実施の形態における分割マーク生成時の再生遅延処理手順ＲＴ２を説明する。
【００４５】
すなわち記録再生装置１の制御部５はステップＳＰ１において、再生ボタン１０を押下する再生操作が行われると、これに応じてステップＳＰ２に移って音声データ再生処理を実行開始し、次いでステップＳＰ３において、編集ボタン１３の半押操作が行われるのを待ち受ける。そしてこの記録再生装置１の制御部５は、編集ボタン１３の半押操作が行われると、これに応じてステップＳＰ４に移り、編集ボタン１３の半押操作が行われた時刻ｔ１を開始点として経過時間を計時する計時処理を実行開始し、このとき同時にステップＳＰ５において、音声データ再生処理速度を通常再生時速度（ｖ＝Ａ）から分割マーク生成時速度（ｖ＝Ｂ）に遅らせる。
【００４６】
続くステップＳＰ６においてこの記録再生装置１の制御部５は、半押操作された編集ボタン１３をさらに押し込む押込操作が行われると、ステップＳＰ９に移って音声データ再生処理している音声データのうち押込操作が行われた際に再生していた部分を認識し、当該認識した部分を指し示す分割マークを生成すると共に、この分割マークが生成されたことをユーザに通知する通知音を音声出力部１１及びスピーカ１２を介して出力する。またこのとき記録再生装置１の制御部５はステップＳＰ１０において、分割マーク生成時刻ｔ２をタイマ２８から取得するようになされている。
【００４７】
そしてこの記録再生装置１の制御部５はステップＳＰ１２に移り、音声データの再生単位を分割した部分が確認できるようにこの音声データを再生する確認再生処理を実行する。つまりこの場合の確認再生処理では、編集ボタン１３の半押操作に応じて分割マーク生成時速度（ｖ＝Ｂ）で音声データ再生処理を開始した部分から、編集ボタン１３の押込操作に応じて分割マークを生成した部分までの音声データ（図６に示す「確認再生処理範囲」に相当する音声データ）を、所定回数繰り返し再生することにより、この分割マークにより分割された再生単位が適切かどうかをユーザに確認させるようになされている。
【００４８】
次いでこの記録再生装置１の制御部５はステップＳＰ１３において、再生単位の分割が適切である旨を意味する確認操作が操作部３に対して行われたか否かを判断する。
【００４９】
このステップＳＰ１３において肯定結果が得られると、このことは、再生単位の分割が適切であることを意味しており、このとき記録再生装置１の制御部５は、分割マークにより分割した再生単位を確定してステップＳＰ１４に移る。そしてこのステップＳＰ１４において記録再生装置１の制御部５は、分割マーク生成時刻ｔ２後所定時間α（例えば１秒）が経過した時刻ｔ２＋αに相当する部分から、通常再生速度（ｖ＝Ａ）に戻してこの音声データを音声データ再生処理するようにし、上述のステップＳＰ３に戻るようになされている。
【００５０】
これに対してステップＳＰ１３において否定結果が得られると、このことは、再生単位の分割が適切でなかったことを意味しており、このとき記録再生装置１の制御部５はステップＳＰ１５に移り、ステップＳＰ９で生成した分割マークを消去することにより、再生単位の分割を無効にする。
【００５１】
続いてこの記録再生装置１の制御部５はステップＳＰ１６に移り、編集ボタン１３の半押操作が行われた時刻ｔ１よりも所定時間β前（例えば５秒前）の時刻ｔ１−βに相当する部分から、通常再生速度（ｖ＝Ａ）で音声データを音声データ再生処理するようにし、上述のステップＳＰ３に戻るようになされている。因みにこの記録再生装置１の制御部５は、停止ボタン９の押下操作に応じて音声データ再生処理を終了したとき、この再生遅延処理手順ＲＴ２も終了するようになされている。
【００５２】
（２−２）動作及び効果
以上の構成においてこの記録再生装置１の制御部５は、編集ボタン１３の押込操作に応じて音声データの再生単位を分割した後、この分割した部分が確認できるようにこの音声データを再生する確認再生処理を実行する。
【００５３】
これによりこの記録再生装置１によれば、音声データの再生単位を正確に分割できたか否かを、分割マークを生成した後すぐにユーザに確認させることができる。
【００５４】
以上の構成によれば、編集ボタン１３の押込操作に応じて音声データの再生単位を分割した後、この分割した部分が確認できるようにこの音声データを再生する確認再生処理を実行するようにしたことにより、音声データの再生単位を正確に分割できたか否かを、分割マークを生成した後すぐにユーザに確認させることができ、かくして使い勝手を格段と向上させることができる。
【００５５】
因みに本実施の形態の場合かかる確認再生処理では、編集ボタン１３の半押操作に応じて分割マーク生成時速度（ｖ＝Ｂ）で音声データ再生処理を開始した部分から、編集ボタン１３の押込操作に応じて分割マークを生成した部分までの音声データを繰り返し再生するようにしたが、本発明はこれに限らず、音声データの再生単位を分割した部分が確認できるようにこの音声データを再生することができれば、この他種々の手法を採用することができる。例えばこの確認再生処理においては、分割マーク生成時速度（ｖ＝Ｂ）で音声データ再生処理を開始した部分から、分割マークを生成した部分より所定時間α経過した部分までの音声データを繰り返し再生するようにした上で、分割マークが生成された部分を再生する際に分割マークが生成されていることを示す通知音を音声出力部１１及びスピーカ１２を介して出力することにより、再生単位の分割部分をユーザに確認させるようにしても良い。
【００５６】
（３）第３の実施の形態
（３−１）再生遅延処理
第３の実施の形態の場合、上述した第１及び第２の実施の形態と記録再生装置１の構成は同様である。従ってここでは、図５との対応部分に同一符号を付して示す図７のフローチャートを用いて、第３の実施の形態における分割マーク生成時の再生遅延処理手順ＲＴ３を説明する。
【００５７】
すなわち記録再生装置１の制御部５はステップＳＰ１において、再生ボタン１０を押下する再生操作が行われると、これに応じてステップＳＰ２に移って音声データ再生処理を実行開始し、次いでステップＳＰ３において、編集ボタン１３の半押操作が行われるのを待ち受ける。そしてこの記録再生装置１の制御部５は、編集ボタン１３の半押操作が行われると、これに応じてステップＳＰ４に移り、編集ボタン１３の半押操作が行われた時刻ｔ１を開始点として経過時間を計時する計時処理を実行開始し、このとき同時にステップＳＰ５において、音声データ再生処理速度を通常再生時速度（ｖ＝Ａ）から分割マーク生成時速度（ｖ＝Ｂ）に遅らせる。
【００５８】
続くステップＳＰ６においてこの記録再生装置１の制御部５は、半押操作された編集ボタン１３をさらに押し込む押込操作が行われると、ステップＳＰ９に移って音声データ再生処理している音声データのうち押込操作が行われた際に再生していた部分を認識し、当該認識した部分を指し示す分割マークを生成すると共に、この分割マークが生成されたことをユーザに通知する通知音を音声出力部１１及びスピーカ１２を介して出力する。またこのとき記録再生装置１の制御部５はステップＳＰ１０において、分割マーク生成時刻ｔ２をタイマ２８から取得するようになされている。
【００５９】
そしてこの記録再生装置１の制御部５はステップＳＰ１７に移り、音声データの再生単位を分割した部分が確認できるようにこの音声データを再生する確認再生処理を実行する。この場合の確認再生処理では、編集ボタン１３の半押操作に応じて分割マーク生成時速度（ｖ＝Ｂ）で音声データ再生処理を開始した部分から、編集ボタン１３の押込操作に応じて分割マークを生成した部分までの音声データ（図８に示す「確認再生処理範囲」に相当する音声データ）を、分割マーク生成時速度（ｖ＝Ｂ）よりもさらに遅い確認再生時速度（ｖ＝Ｃ）で所定回数繰り返し再生することにより、この分割マークにより分割された再生単位が適切かどうかをユーザに確認させるようになされている。
【００６０】
次いでこの記録再生装置１の制御部５はステップＳＰ１３において、再生単位の分割が適切である旨を意味する確認操作が操作部３に対して行われたか否かを判断し、ここで肯定結果が得られるとステップＳＰ１４に移り、分割マーク生成時刻ｔ２後所定時間α（例えば１秒）が経過した時刻ｔ２＋αに相当する部分から、この音声データを通常再生速度（ｖ＝Ａ）で再生開始し、上述のステップＳＰ３に戻るようになされている。
【００６１】
これに対してステップＳＰ１３において否定結果が得られると記録再生装置１の制御部５はステップＳＰ１５に移って、ステップＳＰ９で生成した分割マークを消去した後、ステップＳＰ１６に移り、編集ボタン１３の半押操作が行われた時刻ｔ１よりも所定時間β前（例えば５秒前）に戻った時刻ｔ１−βに相当する部分から、音声データを通常再生速度（ｖ＝Ａ）で再生開始し、上述のステップＳＰ３に戻るようになされている。因みにこの記録再生装置１の制御部５は、停止ボタン９の押下操作に応じて音声データ再生処理を終了したとき、この再生遅延処理手順ＲＴ３も終了するようになされている。
【００６２】
（３−２）動作及び効果
以上の構成においてこの記録再生装置１の制御部５は、編集ボタン１３の押込操作に応じて音声データの再生単位を分割した後、この分割した部分が確認できるようにこの音声データを分割マーク生成時速度（ｖ＝Ｂ）よりもさらに遅い確認再生時速度（ｖ＝Ｃ）で再生する確認再生処理を実行する。
【００６３】
これによりこの記録再生装置１によれば、音声データの再生単位を正確に分割できたか否かを、ユーザに正確に確認させることができる。
【００６４】
以上の構成によれば、編集ボタン１３の押込操作に応じて音声データの再生単位を分割した後、この分割した部分が確認できるようにこの音声データを分割マーク生成時速度（ｖ＝Ｂ）よりもさらに遅い確認再生時速度（ｖ＝Ｃ）で再生する確認再生処理を実行するようにしたことにより、音声データの再生単位を正確に分割できたか否かを、ユーザに正確に確認させることができ、かくして使い勝手を格段と向上させることができる。
【００６５】
因みに本実施の形態の場合この記録再生装置１は、メニューボタン１７等に対して行われるユーザの設定操作に応じて、確認再生時速度（ｖ＝Ｃ）を適宜設定変更することができるようにもなされている。
【００６６】
（４）他の実施の形態
上述した第１〜第３の実施の形態においては、音声データ再生処理している音声データのうち押込操作が行われた際に再生していた部分を認識し、当該認識した部分を指し示す分割マークを生成することにより、音声データの再生単位を分割する場合について述べたが、本発明はこれに限らず、押込操作が行われた部分で音声データそのものを分割することにより、この音声データの再生単位を分割するようにしても良い。
【００６７】
また上述した第１〜第３の実施の形態においては、通常再生時速度（ｖ＝Ａ）や分割マーク生成時速度（ｖ＝Ｂ）や確認再生時速度（ｖ＝Ｃ）等の再生速度を、メニューボタン１７を介したメニュー選択操作により設定させる場合について述べたが、本発明はこれに限らず、図１との対応部分に同一符号を付した図９に示すように、再生速度を上げるための速度調節ボタン３１及び再生速度を下げるための速度調節ボタン３２を設けるようにしても良い。
【００６８】
また上述した第１〜第３の実施の形態においては、音声データの再生単位を分割する場合について述べたが、本発明はこれに限らず、図９に示すように、記録再生装置１にカメラ３３を設け、このカメラ３３により被写体を撮像した結果メモリ部８に記録される動画像データの再生単位を、音声データの場合と同様にして分割するようにしても良い。またこのように記録再生装置１に対して、音声データ及び動画像データを記録及び再生する機能と、記録した音声データ及び動画像データの再生単位を分割する機能とを設ければ、外出先等で記録した音声データ及び動画像データをその場で編集することができるようになり、かくしてユーザの使い勝手を格段と向上させることができる。
【００６９】
また上述した第１〜第３の実施の形態においては、音声データ再生処理速度を遅延させる再生遅延操作と、音声データの再生単位を分割する再生単位分割操作との２種類の操作が可能な操作手段として、半押操作と押込操作とが可能な編集ボタン１３を設ける場合について述べたが、本発明はこれに限らず、回転操作と押圧操作とが可能なジョグダイヤル等を設けるようにしても良い。また記録再生装置１に対して、音声データ再生処理速度を遅延させるための再生遅延操作が行われる操作手段と、音声データの再生単位を分割するための再生単位分割操作が行われる操作手段とを別々に設けるようにしても良い。
【００７０】
また上述した第１〜第３の実施の形態において、記録再生装置１の制御部５は、ＲＯＭ２６等に記憶されたプログラムに従って、再生遅延処理ＲＴ１〜３をソフトウェア的に実行する場合について述べたが、本発明はこれに限らず、記録再生装置１に対し再生遅延処理ＲＴ１〜３を実行するための回路を設け、この回路により再生遅延処理ＲＴ１〜３をハードウェア的に実行するようにしても良い。またこの再生遅延処理ＲＴ１〜３を実行するためのプログラムを、パーソナルコンピュータ等の情報処理装置に対してインストールできるように、ＣＤ（Compact Disc）等の記録媒体に記録しておくようにしても良い。
【００７１】
（５）第４の実施の形態
（５−１）記録再生装置の構成
図１０において、４１は全体として映像を記録再生するための記録再生装置を示し、操作部４２に対して記録操作が行われると、これに応じて記録再生装置４１全体を統括的に制御する制御部４３は、例えばアンテナ及びチューナ等を介して入力されるアナログの映像信号を映像入力部４４によりデジタルの映像データに変換し、当該変換した映像データを記録部４５（例えばハードディスクドライブやＤＶＤ（Digital Versatile Disc）等に相当する）に順次記録する。因みに本実施の形態の場合この映像信号は、テレビ番組や映画等の動画像コンテンツが表された信号に相当する。
【００７２】
このようにしてこの記録再生装置４１は、映像データを記録部４５に記録する映像データ記録処理を実行することができる。
【００７３】
この後、記録再生装置４１の操作部４２に対して再生操作が行われると、これに応じてこの記録再生装置４１の制御部４３は、記録部４５に記録した映像データを読み出し、当該読み出した映像データを映像出力部４６により映像信号に変換し、当該変換した映像信号に基づく映像を表示部４７を介して順次出力する。
【００７４】
このようにしてこの記録再生装置４１は、映像データに基づく映像を表示部４７に表示させる映像データ再生処理を実行することができる。
【００７５】
ここでこの記録再生装置４１には、半押しする半押操作及びさらに押し込む押込操作が可能な編集ボタン４８が操作部４２として設けられている。
【００７６】
この記録再生装置４１の制御部４３は、例えば、映像データ再生処理が実行されることにより表示部４７にテレビ番組（例えば図１１中の「Program1」）が順次表示されている状態において、このテレビ番組が終わりに近づきコマーシャル（例えば図中の「不必要データ」）が表示される前の時刻ｔ１１に、かかる編集ボタン４８を半押しする半押操作が行われると、これに応じて例えば図１１（Ａ）に示すように、映像データ再生処理速度を通常再生時速度（ｖ＝Ａ）からこの通常再生時速度（ｖ＝Ａ）よりも遅いマーク生成時速度（ｖ＝Ｂ＜Ａ）に変更することにより、表示部４７に表示される映像の動くスピードを遅くする。
【００７７】
次いで、例えばコマーシャルが表示開始される瞬間ｔ１２に、半押操作された編集ボタン４８をさらに押し込む押込操作が行われると、これに応じてこの記録再生装置４１の制御部４３は、映像データ再生処理している映像データＤ４１のうち押込操作が行われた際に再生していた部分を認識し、当該認識した部分を指し示す切出先端マークを生成する共に、この切出先端マークが生成されたことをユーザに通知する通知音を例えばスピーカ４９を介して出力する。これにより、テレビ番組の終端部分とコマーシャルの先端部分との境目を指し示す切出先端マークが生成される。
【００７８】
そしてこの記録再生装置４１の制御部４３は、編集ボタン４８の押込操作が行われた時刻ｔ１２から所定時間α（例えば１秒間）が経過した時刻ｔ１２＋αに、編集ボタン４８の半押操作に応じてマーク生成時速度（ｖ＝Ｂ）まで遅らせた映像データ再生処理速度を元の通常再生時速度（ｖ＝Ａ）に戻すことにより、表示部４７に表示される映像の動くスピードを当初のスピードに戻すようになされている。
【００７９】
そして記録再生装置４１の制御部４３は、例えば、このコマーシャルが終わりに近づき次のテレビ番組（例えば図中の「Program2」）が表示される前の時刻ｔ１３に、かかる編集ボタン４８を半押しする半押操作が行われると、これに応じて例えば図１１（Ａ）に示すように、映像データ再生処理速度を通常再生時速度（ｖ＝Ａ）からこの通常再生時速度（ｖ＝Ａ）よりも遅いマーク生成時速度（ｖ＝Ｂ＜Ａ）に変更することにより、表示部４７に表示される映像の動くスピードを遅くする。
【００８０】
次いで、例えばこのコマーシャルが表示終了される瞬間ｔ１４に、半押操作された編集ボタン４８をさらに押し込む押込操作が行われると、これに応じてこの記録再生装置４１の制御部４３は、映像データ再生処理している映像データＤ４１のうち押込操作が行われた際に再生していた部分を認識し、当該認識した部分を指し示す切出終端マークを生成する共に、この切出終端マークが生成されたことをユーザに通知する通知音を例えばスピーカ４９を介して出力する。これにより、コマーシャルの終端部分とテレビ番組の先端部分との境目を指し示す切出終端マークが生成される。
【００８１】
続いてこの記録再生装置４１の制御部４３は、編集ボタン４８の押込操作が行われた時刻ｔ１４から所定時間α（例えば１秒間）が経過した時刻ｔ１４＋αに、編集ボタン４８の半押操作に応じてマーク生成時速度（ｖ＝Ｂ）まで遅らせた映像データ再生処理速度を元の通常再生時速度（ｖ＝Ａ）に戻すことにより、表示部４７に表示される映像の動くスピードを当初のスピードに戻すようになされている。
【００８２】
そしてこの記録再生装置４１の制御部４３は、この切出先端マークと切出終端マークとにより挟まれたコマーシャル部分を不必要データとして判断し、この不必要データを映像データＤ４１から切り出す編集処理を実行する。
【００８３】
かくしてこの記録再生装置４１は、図１１（Ｂ）に示すような、不必要なコマーシャルが切り出された編集後映像データＤ４１ｘを生成することができる。
【００８４】
因みに本実施の形態の場合この記録再生装置４１の制御部４３は、図１０に示すように、この記録再生装置４１を制御するためのプログラム等が記憶されているＲＯＭ５０と、このＲＯＭ５０に記憶されているプログラムに従って記録再生装置４１全体を制御するＣＰＵ５１と、時刻情報を生成してこれをＣＰＵ５１に供給するタイマ５２と、ＣＰＵ５１の処理に供する各種データが一時記憶されるＲＡＭ５３とを有する。
【００８５】
（５−２）再生遅延処理
次に図１２及び図１３に示すフローチャートを用いて、切出編集時の再生遅延処理手順ＲＴ４を説明する。
【００８６】
記録再生装置４１の制御部４３はステップＳＰ４１において、操作部４２を介して再生操作が行われると、これに応じてステップＳＰ４２に移り、記録部４５に記録されている映像データＤ４１に基づく映像を表示部４７に表示する映像データ再生処理を実行開始する。
【００８７】
次いで記録再生装置４１の制御部４３はステップＳＰ４３に移り、編集ボタン４８の半押操作が行われるのを待ち受ける。そしてこの記録再生装置４１の制御部４３は、編集ボタン４８の半押操作が行われると、これに応じてステップＳＰ４４に移り、映像データ再生処理速度を通常再生時速度（ｖ＝Ａ）からマーク生成時速度（ｖ＝Ｂ）に遅らせることにより、表示部４７に順次表示される映像のスピードを遅くする。
【００８８】
続いてこの記録再生装置４１の制御部４３はステップＳＰ４５に移り、半押操作された編集ボタン４８をさらに押し込む押込操作が行われるのを待ち受ける。
【００８９】
そしてこの編集ボタン４８をさらに押し込む押込操作が行われると、このとき記録再生装置４１の制御部４３はステップＳＰ４６に移り、映像データ再生処理している映像データＤ４１のうち押込操作が行われた際に再生していた部分を認識し、当該認識した部分を指し示す切出先端マークを生成すると共に、この切出先端マークが生成されたことをユーザに通知する通知音をスピーカ４９を介して出力する。またこのとき記録再生装置４１の制御部４３はステップＳＰ４７において、この切出先端マークを生成した際の時刻（以下、これを切出先端マーク生成時刻とも呼ぶ）ｔ１２をタイマ５２から取得する。
【００９０】
そして記録再生装置４１の制御部４３は、取得した切出先端マーク生成時刻ｔ１２から所定時間α（例えば１秒）が経過した時刻ｔ１２＋αにステップＳＰ４８に移って、映像データ再生処理速度をマーク生成時速度（ｖ＝Ｂ）から元の通常再生時速度（ｖ＝Ａ）に戻す。
【００９１】
この後この記録再生装置４１の制御部４３はステップＳＰ４９に移り、編集ボタン４８の半押操作が再度行われるのを待ち受ける。そしてこの記録再生装置４１の制御部４３は、編集ボタン４８の半押操作が行われると、これに応じてステップＳＰ５０に移り、映像データ再生処理速度を通常再生時速度（ｖ＝Ａ）からマーク生成時速度（ｖ＝Ｂ）に遅らせることにより、表示部４７に順次表示される映像のスピードを遅くする。
【００９２】
次いでこの記録再生装置４１の制御部４３はステップＳＰ５１に移り、半押操作された編集ボタン４８をさらに押し込む押込操作が行われるのを待ち受ける。
【００９３】
そしてこの編集ボタン４８の押込操作が行われると、このとき記録再生装置４１の制御部４３はステップＳＰ５２に移り、映像データ再生処理している映像データＤ４１のうち押込操作が行われた際に再生していた部分を認識し、当該認識した部分を指し示す切出終端マークを生成すると共に、この切出終端マークが生成されたことをユーザに通知する通知音をスピーカ４９を介して出力する。またこのとき記録再生装置４１の制御部４３はステップＳＰ５３において、この切出終端マークを生成した際の時刻（以下、これを切出終端マーク生成時刻とも呼ぶ）ｔ１４をタイマ５２から取得する。
【００９４】
続いて記録再生装置４１の制御部４３は、取得した切出終端マーク生成時刻ｔ１４から所定時間α（例えば１秒）が経過した時刻ｔ１４＋αにステップＳＰ５４に移って、映像データ再生処理速度をマーク生成時速度（ｖ＝Ｂ）から元の通常再生時速度（ｖ＝Ａ）に戻す。
【００９５】
次いで記録再生装置４１の制御部４３はステップＳＰ５５に移り、再生している映像データＤ４１のうち、切出先端マークと切出終端マークとにより挟まれた部分を不必要な不必要データと判断し、この不必要データを映像データＤ４１から切り出す編集処理を実行し、上述のステップＳＰ４３に戻るようになされている。因みにこの記録再生装置４１の制御部４３は、再生停止操作に応じて映像データ再生処理を終了したとき、この再生遅延処理手順ＲＴ４も終了するようになされている。
【００９６】
（５−３）動作及び効果
以上の構成においてこの記録再生装置４１の制御部４３は、記録部４５に記録した映像データＤ４１に基づく映像を表示部４７に順次表示する映像データ再生処理を実行する。
【００９７】
そしてこの記録再生装置４１の制御部４３は、映像データ再生処理が実行されることにより映像が表示部４７に順次表示されている状態で、編集ボタン４８の半押操作が行われると、これに応じて映像データ再生処理速度を通常再生時速度（ｖ＝Ａ）からマーク生成時速度（ｖ＝Ｂ）に遅らせることにより、表示部４７に表示される映像のスピードを遅くする。
【００９８】
次いでこの記録再生装置４１の制御部４３は、映像データ再生処理速度がマーク生成時速度（ｖ＝Ｂ）まで遅くなった状態で、半押操作された編集ボタン４８をさらに押し込む押込操作が行われると、これに応じて映像データ再生処理している映像データＤ４１のうち押込操作が行われた際に再生していた部分を認識し、当該認識した部分を指し示す切出先端マークを生成する。
【００９９】
これによりユーザは、表示部４７に表示される映像のスピードが速すぎたとしても、編集ボタン４８の半押操作を行うことによって、表示される映像のスピードを遅くしておくことができ、かくして不必要データ（例えばコマーシャル）が表示開始される瞬間に、編集ボタン４８の押込操作を正確に行うことが可能となる。
【０１００】
この後同じようにしてこの記録再生装置４１の制御部４３は、映像データ再生処理速度がマーク生成時速度（ｖ＝Ｂ）まで遅くなった状態で、半押操作された編集ボタン４８をさらに押し込む押込操作が行われると、これに応じて映像データ再生処理している映像データＤ４１のうち押込操作が行われた際に再生していた部分を認識し、当該認識した部分を指し示す切出終端マークを生成する。
【０１０１】
これによりユーザは、表示部４７に表示される映像のスピードが速すぎたとしても、編集ボタン４８の半押操作を行うことによって、表示される映像のスピードを遅くしておくことができ、かくして不必要データ（例えばコマーシャル）が表示終了される瞬間に、編集ボタン４８の押込操作を正確に行うことが可能となる。
【０１０２】
以上の構成によれば、映像データ再生処理が実行されることにより映像データＤ４１が再生されている状態で、編集ボタン４８の半押操作が行われるとこれに応じて映像データ再生処理速度を遅らせ、この半押操作された編集ボタン４８をさらに押し込む押込操作が行われるとこの押込操作が行われた部分で、映像データＤ４１から不必要データを切り出すための切出先端マーク又は切出終端マークを生成するようにしたことにより、例えばユーザは、表示部４７に表示される映像のスピードが速すぎたとしても、編集ボタン４８の半押操作を行うことによって、表示される映像のスピードを遅くしておくことができ、かくして不必要データが表示開始される瞬間又は不必要データが表示終了される瞬間で編集ボタン４８の押込操作を正確に行うことが可能となる。この結果、映像データＤ４１から不必要データを正確に切り出すことができる。
【０１０３】
（６）第５の実施の形態
（６−１）再生遅延処理
第５の実施の形態の場合、上述した第４の実施の形態と記録再生装置４１の構成（図１０）は同様である。従ってここでは、図１２及び図１３との対応部分に同一符号を付して示す図１４及び図１５のフローチャートを用いて、第５の実施の形態における切出編集時の再生遅延処理手順ＲＴ５を説明する。
【０１０４】
記録再生装置４１の制御部４３はステップＳＰ４１において、操作部４２を介して再生操作が行われると、これに応じてステップＳＰ４２に移り、映像データ再生処理を実行開始し、次いでステップＳＰ４３に移り、編集ボタン４８の半押操作が行われるのを待ち受ける。そしてこの記録再生装置４１の制御部４３は、編集ボタン４８の半押操作が行われると、これに応じてステップＳＰ４４に移り、例えば図１６に示すように、映像データ再生処理速度を通常再生時速度（ｖ＝Ａ）からマーク生成時速度（ｖ＝Ｂ）に遅らせ、続いてステップＳＰ４５に移り、半押操作された編集ボタン４８をさらに押し込む押込操作が行われるのを待ち受ける。そしてこの編集ボタン４８をさらに押し込む押込操作が行われると、このとき記録再生装置４１の制御部４３はステップＳＰ４６に移り、切出先端マークを生成すると共にこの切出先端マークが生成されたことをユーザに通知する通知音をスピーカ４９を介して出力する。またこのとき記録再生装置４１の制御部４３はステップＳＰ４７において、切出先端マーク生成時刻ｔ１２をタイマ５２から取得する。
【０１０５】
そして記録再生装置４１の制御部４３は、取得した切出先端マーク生成時刻ｔ１２から所定時間α（例えば１秒）が経過した時刻ｔ１２＋αにステップＳＰ６１に移って、映像データ再生処理速度をマーク生成時速度（ｖ＝Ｂ）から、これよりも高速の不必要データ再生時速度（ｖ＝Ｄ）に変更する。
【０１０６】
この後この記録再生装置４１の制御部４３はステップＳＰ４９に移り、編集ボタン４８の半押操作が再度行われるのを待ち受ける。そしてこの記録再生装置４１の制御部４３は、編集ボタン４８の半押操作が行われると、これに応じてステップＳＰ６２に移り、映像データ再生処理速度を不必要データ再生時速度（ｖ＝Ｄ）からマーク生成時速度（ｖ＝Ｂ）に遅らせることにより、表示部４７に順次表示される映像のスピードを遅くする。
【０１０７】
次いでこの記録再生装置４１の制御部４３はステップＳＰ５１に移り、半押操作された編集ボタン４８をさらに押し込む押込操作が行われるのを待ち受ける。そしてこの編集ボタン４８の押込操作が行われると、このとき記録再生装置４１の制御部４３はステップＳＰ５２に移り、切出終端マークを生成すると共にこの切出終端マークが生成されたことをユーザに通知する通知音をスピーカ４９を介して出力する。またこのとき記録再生装置４１の制御部４３はステップＳＰ５３において、切出終端マーク生成時刻ｔ１４をタイマ５２から取得する。続いて記録再生装置４１の制御部４３は、取得した切出終端マーク生成時刻ｔ１４から所定時間α（例えば１秒）が経過した時刻ｔ１４＋αにステップＳＰ５４に移って、映像データ再生処理速度をマーク生成時速度（ｖ＝Ｂ）から元の通常再生時速度（ｖ＝Ａ）に戻す。次いで記録再生装置４１の制御部４３はステップＳＰ５５に移り、再生している映像データＤ４１のうち、切出先端マークと切出終端マークとにより挟まれた不必要データを映像データＤ４１から切り出す編集処理を実行し、上述のステップＳＰ４３に戻るようになされている。因みにこの記録再生装置４１の制御部４３は、再生停止操作に応じて映像データ再生処理を終了したとき、この再生遅延処理手順ＲＴ５も終了するようになされている。
【０１０８】
（６−２）動作及び効果
以上の構成においてこの記録再生装置４１は、切出先端マークを生成してから所定時間経過後次の半押操作が行われるまで、映像データ再生処理速度を通常再生時速度（ｖ＝Ａ）よりも高速な不必要データ再生時速度（ｖ＝Ｄ）に変更するようにした。
【０１０９】
かくしてこの記録再生装置４１によれば、ユーザが視聴する必要がないと考える不必要データを高速に再生することにより、編集作業を格段と効率的にすることができる。
【０１１０】
以上の構成によれば、切出先端マークを生成した後切出終端マークを生成するまでの期間中であって、編集ボタン４８の半押操作が行われていない間は、映像データ再生処理速度を通常再生時速度（ｖ＝Ａ）よりも高速な不必要データ再生時速度（ｖ＝Ｄ）に変更するようにしたことにより、ユーザは不必要な映像を飛ばして見ることができ、かくして映像データの編集作業を格段と効率的にすることができる。
【０１１１】
（７）他の実施の形態
上述した第４及び第５の実施の形態においては、ハードディスクドライブやＤＶＤに相当する記録部４５に記録されている映像データに対して、再生遅延処理ＲＴ４、５を実行する場合について述べたが、本発明はこれに限らず、半導体メモリやビデオテープ等のこの他種々の記録媒体に記録された映像データに対して、再生遅延処理ＲＴ４、５を実行するようにしても良い。
【０１１２】
また上述した第４及び第５の実施の形態においては、不必要データとして、テレビ番組の間に挿入されたコマーシャルを適用するようにした場合について述べたが、本発明はこれに限らず、編集側が不必要と考えるデータであればこの他種々のデータを適用することができる。
【０１１３】
また上述した第４及び第５の実施の形態においては、映像データ再生処理速度を遅延させる再生遅延操作と、切出先端部分（切出先端マーク）又は切出終端部分（切出終端マーク）を指定する切出部分指定操作との２種類の操作が可能な操作手段として、半押操作と押込操作とが可能な編集ボタン４８を設ける場合について述べたが、本発明はこれに限らず、回転操作と押圧操作とが可能なジョグダイヤル等を設けるようにしても良い。また記録再生装置４１に対して、再生遅延操作が行われる操作手段と、切出部分指定操作が行われる操作手段とを別々に設けるようにしても良い。
【０１１４】
また上述した第４及び第５の実施の形態において記録再生装置４１の制御部４３は、ＲＯＭ５０等に記憶されたプログラムに従って、再生遅延処理ＲＴ４、５をソフトウェア的に実行する場合について述べたが、本発明はこれに限らず、記録再生装置４１に対し再生遅延処理ＲＴ４、５を実行するための回路を設け、この回路により再生遅延処理ＲＴ４、５をハードウェア的に実行するようにしても良い。またこの再生遅延処理ＲＴ４、５を実行するためのプログラムを、パーソナルコンピュータ等の情報処理装置に対してインストールできるように、ＣＤ（Compact Disc）等の記録媒体に記録しておくようにしても良い。
【産業上の利用可能性】
【０１１５】
本発明は、例えば、会話を記録再生し得るようになされたＩＣレコーダや映像を記録再生し得るようになされたポータブルビデオカメラ等の記録再生装置に利用することができる。
【図面の簡単な説明】
【０１１６】
【図１】第１〜第３の実施の形態における記録再生装置の外観構成を示す略線図である。
【図２】第１〜第３の実施の形態における記録再生装置の回路構成を示す略線図である。
【図３】第１の実施の形態における分割マーク生成時の再生遅延処理の説明に供する略線図である。
【図４】第1の実施の形態における再生遅延処理手順を示すフローチャートである。
【図５】第２の実施の形態における再生遅延処理手順を示すフローチャートである。
【図６】第２の実施の形態における分割マーク生成時の再生遅延処理の説明に供する略線図である。
【図７】第３の実施の形態における再生遅延処理手順を示すフローチャートである。
【図８】第３の実施の形態における分割マーク生成時の再生遅延処理の説明に供する略線図である。
【図９】他の実施の形態による記録再生装置の外観構成を示す略線図である。
【図１０】第４及び第５の実施の形態における記録再生装置の構成を示す略線図である。
【図１１】第４の実施の形態におけるマーク生成時の再生遅延処理の様子を示す略線図である。
【図１２】第４の実施の形態における切出編集時の再生遅延処理手順を示すフローチャートである。
【図１３】第４の実施の形態における切出編集時の再生遅延処理手順を示すフローチャートである。
【図１４】第５の実施の形態における切出編集時の再生遅延処理手順を示すフローチャートである。
【図１５】第５の実施の形態における切出編集時の再生遅延処理手順を示すフローチャートである。
【図１６】第５の実施の形態におけるマーク生成時の再生遅延処理の様子を示す略線図である。
【符号の説明】
【０１１７】
１……記録再生装置、３……操作部、５……制御部、６……マイクロホン、７……音声入力部、８……メモリ部、１１……音声出力部、１２……スピーカ、１３……編集ボタンＲＴ１〜５……再生遅延処理手順。
【図１】
2006301507.tif 000003
【図２】
2006301507.tif 000004
【図３】
2006301507.tif 000005
【図４】
2006301507.tif 000006
【図５】
2006301507.tif 000007
【図６】
2006301507.tif 000008
【図７】
2006301507.tif 000009
【図８】
2006301507.tif 000010
【図９】
2006301507.tif 000011
【図１０】
2006301507.tif 000012
【図１１】
2006301507.tif 000013
【図１２】
2006301507.tif 000014
【図１３】
2006301507.tif 000015
【図１４】
2006301507.tif 000016
【図１５】
2006301507.tif 000017
【図１６】
2006301507.tif 000018